(57)【特許請求の範囲】
【請求項１】
画像撮影部と、この画像撮影部に対して着脱自在とされた画像プリント部と、を備えたプリント機能付きカメラであって、
上記画像プリント部は、上記画像撮影部の背面に固定可能であり、
上記画像撮影部の背面には、撮影画像を表示するための表示パネルが上方側にスライド移動可能に設けられていることを特徴とする、プリント機能付きカメラ。
【請求項２】
上記画像プリント部は、上記画像撮影部の電源により駆動するように構成されている、請求項１に記載のプリント機能付きカメラ。
【請求項３】
上記画像プリント部は、ケース内に複数の感光フィルムが積層されたフィルムパックと、上記感光フィルムを露光するプリントヘッドと、を備えており、かつ、
上記プリントヘッドは、複数の発光素子が列状に並んだ構成とされており、
上記発光素子は、赤色光、緑色光、および青色光を自己発光する赤色光発光部、緑色光発光部、および青色光発光部を有している、請求項１または２に記載のプリント機能付きカメラ。
【請求項４】
上記発光素子は、有機ＥＬ発光素子である、請求項３に記載のプリント機能付きカメラ。
【発明の詳細な説明】
【０００１】
【発明の属する技術分野】
本願発明は、画像を撮影する機能と、画像をプリントする機能とを併せ持つプリント機能付きカメラに関する。
【０００２】
【従来の技術】
デジタルカメラなどにより撮影した電子画像は、そのデジタルデータをインクジェット方式や熱転写方式により、普通紙に対して印刷することができる。一方、感光方式により、デジタルデータとしての画像を感光フィルムに対して記録することも考えられている。
【０００３】
感光方式では、記録フィルムを露光した後に現像するというプロセスを経て画像が形成されるため、解像度の高いシャープな画像を形成することが可能となる。そのため、デジタルカメラに感光型のプリントヘッドを内蔵し、撮影直後に画像を印刷することができるように構成されたデジタルカメラも製品化されている。
【０００４】
【発明が解決しようとする課題】
しかしながら、プリントヘッドを内蔵したデジタルカメラでは、デジタルカメラの全体が大型化してしまう。そのため、操作性が悪く、携帯するにも不便である。また、デジタルカメラの大型化を抑制するためにも、プリントヘッドの小型化が要求される。
【０００５】
本願発明は、このような事情のもとに考え出されたものであって、操作性および携帯性を悪化させることなく、カメラに対して画像プリント機能を与えることをその課題としている。
【０００６】
【発明の開示】
本願発明では、上記した課題を解決するために次の技術的手段を講じている。
【０００７】
すなわち、本願発明により提供されるプリント機能付きカメラは、画像撮影部と、この画像撮影部に対して着脱自在とされた画像プリント部と、を備えたプリント機能付きカメラであって、上記画像プリント部は、上記画像撮影部の背面に固定可能であり、上記画像撮影部の背面には、撮影画像を表示するための表示パネルが上方側にスライド移動可能に設けられていることを特徴としている。
【０００８】
この構成によれば、画像プリント部は、少なくとも画像をプリントする場合に画像撮影部に取り付ければよい。したがって、画像撮影部のみにより画像の撮影を行うことができるようになって、操作性が良くなる。一方、画像をプリントする予定のない場合には、画像撮影部のみを携帯すればよいため、携帯性にも優れたものとなる。また、画像撮影部および画像プリント部の双方を携帯する場合であっても、これらを分離した状態としておけば、カバンなどへの収容性も良くなる。
【０００９】
画像プリント部は、画像撮影部の電源により駆動するように構成するのが好ましい。そうすれば、画像プリント部に電源を設ける必要がなくなって、画像プリント部の小型化を図ることができる。
【００１０】
画像プリント部を画像撮影部の背面に対して着脱自在とするとともに、画像撮影部の背面に撮影画像を表示するための表示パネルを設ける場合には、画像プリント部を取り付ければ表示パネルを確認できなくなってしまう。本願発明では、表示パネルを上方側にスライド可能としているので、画像撮影部に画像プリント部を取り付けた場合であっても、表示パネルを確認することができるようになる。これにより、プリントすべき画像を表示パネルによって確認し、選択することができるようになる。
【００１１】
好ましい実施の形態においては、上記画像プリント部は、ケース内に複数の感光フィルムが積層されたフィルムパックと、上記感光フィルムを露光するプリントヘッドと、を備えており、かつ、上記プリントヘッドは、複数の発光素子が列状に並んだ構成とされており、上記発光素子は、赤色光、緑色光、および青色光を自己発光する赤色光発光部、緑色光発光部、および青色光発光部を有している。
【００１２】
たとえば、白色光源を用いたプリントヘッドでは、カラーフィルタにより赤色光、緑色光または青色光を分離した後にそれらの光を感光フィルムに照射する必要がある。そのため、光源から発せられた光の利用効率が悪く、プリントヘッドの消費電力が大きくなってしまう。これに対して、赤色、緑色または青色を自己発光する３つの発光部により発光素子を構成すれば、各発光部からの光をそのまま感光フィルムに照射できる。そのため、発光部からの光の利用効率が良くなり、プリントヘッドの消費電力の低減を図ることができるようになる。また、白色光源として冷陰極管を用いる場合には、冷陰極管を常時点灯させた上で、液晶シャッタなどを用いて光を照射すべき否かが選択される。これに対して、自己発光する発光部では、光を照射すべきか否かは、各発光部を点灯させるか否かにより選択される。つまり、必要な発光部のみを点灯させればよいため、その点においても消費電力の低減を図ることができるようになる。
【００１３】
赤色光、緑色光、または青色光を自己発光するものとしては、ＬＥＤや有機ＥＬ素子が挙げられる。これらのものは、消費電力が小さいため、複数のものを全て同時に点灯させたとしても、冷陰極管に比べて消費電力が小さい。とくに、有機ＥＬ発光素子は、ＬＥＤに比べても消費電力が数百分の１と小さいため、消費電力の観点からは、有機ＥＬ発光素子を用いるのが好ましい。
【００１４】
上述したように、画像プリント部は、画像撮影部の電源により駆動するように構成されることがある。このため、有機ＥＬ発光素子のように消費電力が小さければ、画像プリント部を設けることによって、これを設けない場合に比べて電源の交換時期が著しく早くなってしまうこともない。
【００１５】
さらに、有機ＥＬ発光素子は、基板に対して複数の薄膜を形成することにより、複数のものを同時に造り込むことができる。そのため、冷陰極管や液晶シャッタにより光を照射する構成と比べれば、プリントヘッドの小型・軽量化を図ることができるようになる。その結果、画像プリント部の小型・軽量化をも図ることができるようになり、画像撮影部に画像プリント部を固定した状態であっても操作性および携帯性に優れ、画像プリント部を固定した状態でも容易に画像撮影操作を行え、また画像プリント部を固定した状態でも携帯しやすいプリント機能付きカメラを提供できるようになる。
【００１９】
本願発明のその他の利点および特徴については、以下に行う発明の実施の形態の説明から、より明らかとなるであろう。
【００２０】
【発明の実施の形態】
以下、本願発明の好ましい実施の形態を、図面を参照しつつ具体的に説明する。
【００２１】
図１に示したように、本願発明に係るプリント機能付きカメラＸは、画像撮影部１および画像プリント部２を有している。画像撮影部１は、電子画像を撮影するためのものであり、レンズ１０、ファインダー１１、フラッシュ１３、撮影ボタン１４など、撮影に必要な公知の要素が設けられている。一方、画像プリント部２は、画像撮影部１において撮影された画像を感光方式によりプリントするものである。
【００２２】
図２に示したように、画像撮影部１の背面１６には一対のガイドレール１７が設けられている。これらのガイドレール１７は、断面Ｌ字状の形態とされている。一方、画像プリント部２の正面２０には、支持部２１が設けられている。この支持部２１の側面には、ガイドレール１７に対応してガイド溝２２が設けられている。このガイド溝２２とガイドレール１７を利用して、画像プリント部２が画像撮影部１の背面１６に対して着脱自在とされている。
【００２３】
もちろん、画像撮影部１に対して画像プリント部２を着脱自在とする構成は、ガイドレール１７とガイド溝２２を利用するものには限定されず、その他の機構であってもよい。また、図３に参考的に示したように、プリント機能付きカメラＸは、画像撮影部１の底面に対して画像プリント部２を着脱自在に構成してもよい。
【００２４】
画像プリント部２は、少なくとも画像をプリントする場合に画像撮影部１に取り付ければよい。したがって、画像撮影部１のみにより画像を撮影を行うことができるようになって、操作性が良くなる。一方、画像をプリントする予定のない場合には、画像撮影部１のみを携帯すればよいため、携帯性にも優れたものとなる。また、画像撮影部１および画像プリント部２の双方を携帯する場合であっても、これらを分離した状態としておけば、カバンなどへの収容性も良くなる。
【００２５】
図１に示したように、画像撮影部１にはさらに、表示パネル１５が設けられている。この表示パネル１５は、レンズ１０を介して確認される撮影を表示したり、既に撮影した画像を確認したりするものである。表示パネル１５は、たとえば液晶表示パネル（ＬＣＤ）として構成されている。
【００２６】
このような表示パネル１５は、図１に矢印で示したように上下方向にスライド可能に構成し、画像撮影部１の背面に位置する状態と、画像撮影部１の上方に突出する状態とを選択可能に構成するのが好ましい。つまり、画像撮影部１の背面１６には画像プリント部２が固定されることから、画像撮影部１の背面１６に表示パネル１５が設けられていれば、画像プリント部２を固定した状態では表示パネル１５を確認できなくなってしまう。そのため、表示パネル１５を画像撮影部１の上方に突出可能にしておけば、画像プリント部２を固定した状態でも表示パネル１５を確認できるようになる。したがって、表示パネル１５に表示される画像を確認しつつ、画像プリント部２においてプリントすべき画像を選択できるようになる。一方、表示パネル１５を画像撮影部１に背面１６に位置する状態を選択することにより、表示パネル１５を画像撮影部１の上方に常時突出した状態としておく場合に比べて、コンパクトな状態を選択できるようになる。
【００２７】
なお、表示パネル１５が画像撮影部１の背面１６に位置する状態と上方に突出する状態とを選択可能とする構成としては、たとえば画像撮影部１の背面１６に表示パネル１５が位置する場合には、表示パネル１５を上方側に付勢した状態でラッチしておく方法が考えられる。この方法では、ラッチ状態を解除することにより表示パネル１５が上方側移動させられて突出状態とされ、表示パネルに対して下方側に負荷を加えてラッチ状態とすることにより画像撮影部１の背面１６にを表示パネル１５を位置させておくことができるようになる。もちろん、表示パネル１５が画像撮影部１の背面に位置する状態と上方に突出する状態とを選択可能とする構成としては、上述した構成には限定されない。
【００２８】
図４に示したように、画像撮影部１は、撮像部３０、データ処理部３１、メモリ部３２、電源３３、電力出力部３４、データ出力部３５を有している。一方、画像プリント部２は、電力入力部４１、データ入力部４２、制御部４３、プリントヘッドＰＨ、感光フィルム搬送部４４、およびフィルムパックＦＰを有している。
【００２９】
撮像部３０は、上述のレンズ１０（図１参照）の他、ＣＣＤなどを有しており、ＣＣＤに入射した光に基づいて、レンズ１０を介して確認される画像をデジタルデータとして出力することができる。画像データは、データ処理部３１を介して表示パネル１５に出力される。表示パネル１５では、レンズ１０を通して確認される画像が表示される。
【００３０】
撮影ボタン１４が操作された場合には、そのときの画像データがデータ処理部３１を介してメモリ部３２に記録される。メモリ部３２は、画像撮影部１に予め内蔵しておいたＲＡＭなどのメモリでもよいし、メモリカードのように画像撮影部１に装着される外部メモリであってもよい。
【００３１】
電源３３は、各部３０，３１，３２や表示パネル１５を機能させるために必要な電力を供給するものであり、その電力は電力出力部３４を介して画像プリント部２にも出力可能とされている。一方、撮影した画像データやプリントに必要なその他のデータは、画像撮影部１のデータ出力部３５を介して画像プリント部２に出力可能とされている。
【００３２】
画像プリント部２の電力入力部４１には、電源３３からの電力が電力出力部３４を介して入力される。つまり、画像プリント部２は、画像撮影部１の電源３３からの電力により駆動される。この構成では、画像プリント部２に電源３３を設ける必要がないため、画像プリント部２の小型化を図ることができるようになる。
【００３３】
プリント指示があった場合には、データ入力部４２には、画像データとともにプリントに必要な他のデータ（たとえば印刷枚数）が入力される。プリント指示は、画像撮影部１または画像プリント部２に設けられたボタンを操作するなどにして与えることができる。また、画像データは、メモリ部３２に記憶されたものが呼び出される。
【００３４】
なお、画像撮影部１から画像プリント部２に対して電力やデータの供給を可能とするためには、たとえば画像撮影部１に対して画像プリント部２を固定した場合に、画像撮影部１側の出力端子と画像プリント部２側の入力端子とが接触するように構成すればよい。もちろん、画像撮影部１側の出力端子と画像プリント部２側の入力端子との間をケーブルなどを介して接続することにより、電力およびデータの供給を可能にしてもよい。
【００３５】
画像プリント部２のデータ入力部４２にデータが入力された場合には、制御部４３の制御にしたがってプリントヘッドＰＨによって感光フィルムＦが露光される。プリントヘッドＰＨとしては、後述するように線状光の照射が可能なのものが採用される。このプリントヘッドＰＨを用いる場合には、プリントヘッドＰＨを固定して感光フィルムＦを搬送しつつ線状光を照射することにより、あるいは感光フィルムＦを固定してプリントヘッドＰＨを走査することにより、感光フィルムＦの全体が露光される。露光の終了した感光フィルムＦは、現像処理が施された後に画像プリント部２から排出される。感光フィルムＦの現像は、後述するように感光フィルムＦの端部に現像液を保持させておくことにより、感光フィルムＦの搬送と同時に行うことができる。また、感光フィルムＦの露光時の搬送ないし露光後の搬送は、感光フィルム搬送部４４により行われる。
【００３６】
このような露光・現像処理によるプリント動作を達成するためには、図５および図６に示したように画像プリント部２が構成され、図７に示したような感光フィルムＦが使用される。
【００３７】
図５および図６に示した画像プリント部２は、筐体５０、フィルムパックＦＰ、プッシュバーＰＢ、プラテンローラＰＲ、プリントヘッドＰＨを有している。
【００３８】
筐体５０は、開口部５１を有しており、この開口部５１が蓋５２により開閉可能とされている。蓋５２には、一対の凸部５３が設けられている。筐体５０の側面５４には、図１および図５に示したように露光・現像処理した感光フィルムＦを排出するための排出口５５が形成されている。
【００３９】
フィルムパックＦＰは、図５および図６に示したようにケース６０の内部に複数の感光フィルムＦを収容したものである。感光フィルムＦは、支持台６１上に載置されている。支持台６１は、板バネ部材６２により付勢されている。
【００４０】
感光フィルムＦは、図７に示したように基材７上に、感光層７０および透明カバー７１を積層した形態を有している。基材７、感光層７０および透明カバー７１の周縁部は、端部に現像液保持パック７３を包み込んだ状態で接着シート７２により覆われている。
【００４１】
ケース６０には、図５および図６に示したように第１なしい第３開口部６３，６４，６５が形成され、プッシュバーＰＢの矢印ＡＢ方向への移動を許容する切欠６６が設けられている。第１開口部６３には、プリントヘッドＰＨが配置されている。これにより、プリントヘッドＰＨがケース６０に収容された恰好とされている。このプリントヘッドＰＨは、第１開口部６３を図６の矢印ＡＢ方向に移動するように構成してもよいし、固定化してもよい。第２開口部６４は、蓋５２の凸部５３に対応した部位に設けれている。すなわち、筐体５０内にフィルムパックＦＰを収容した状態で開口部５１を蓋５２により閉鎖すれば、図６に示したように凸部５３が第２開口部６４を介して筐体６０内に挿入される。これにより、支持台６１に対して第１開口部６３側に向けた押圧力が作用する。一方、第３開口部６５は、ケース６０の側面に設けられており、この第３開口部６５を介して感光フィルムＦがケース６０の外部に排出される。第３開口部６５は、カーテン６７により覆われており、第３開口部６５からのホコリの侵入が抑制されている。
【００４２】
このようなフィルムパックＦＰは、開口部５１を介して筐体５０内外への出し入れが自在とされている。フィルムパックＦＰ内に収容された感光フィルムＦを全て使用した場合には、使用済みのフィルムパックＦＰを取り出し、新たなフィルムパックＦＰを装着すればよい。
【００４３】
プッシュバーＰＢおよびプラテンローラＰＲは、感光フィルム搬送部４４（図４参照）を構成するものであり、筐体５０の内部に配置されている。プッシュバーＰＢは、第１開口部６３側に位置する感光フィルムＦを第３開口部６５から押し出すものである。プラテンローラＰＲは、第３開口部６５から押し出された感光フィルムＦを筐体５０の排出口５５に向けて搬送するとともに、排出口５５から感光フィルムＦを排出させるものである。そして、プラテンローラＰＲは、感光フィルムＦがプラテンローラＰＲを通過する際に感光フィルムＦの現像液パック７３（図７参照）に押圧力を作用させ、この現像液パック７３から現像液を押し出し、それを感光層７０の全面に拡げる役割をも果たす。
【００４４】
プリントヘッドＰＨは、図８および図９に示したようにフレーム８に対して、発光素子アレイ９、ロッドレンズアレイ８０およびプリズム８１を保持させた構成を有している。
【００４５】
フレーム８には、コの字状の載置部８２、図８の矢印Ｃ方向（主走査方向）に延びる第１保持部８３および第２保持部８４が設けられている。載置部８２には、発光素子アレイ９が載置される。第１保持部８３は、４５度傾斜した傾斜面８３ａを有しており、この傾斜面８３ａに密着して反射部材８５が保持される。反射部材８５は、光反射率の高い白色樹脂などにより形成される。
【００４６】
一方、第２保持部８４には、ロッドレンズアレイ８０が保持される。ロッドレンズアレイ８０は、ロッドレンズ８０ａの軸心が図８および図９の矢印Ｄ方向（副走査方向）に延びるとともに、複数のロッドレンズ８０ａが主走査方向Ｃに並ぶようにして配置されている。本実施の形態では、ロッドレンズ８０ａは、正率等倍像を形成するように構成されている。
【００４７】
フレーム８の側部は、副走査方向Ｄ側に開放しており、この部分にプリズム８１が保持される。より具体的には、プリズム８１に設けられた凸部８１ａをフレーム８に設けられた凹部８６に嵌合することにより、フレーム８に対してプリズム８１が固定される。プリズム８１は、空気よりも屈折率の大きな材料、たとえば透明なガラスやアクリル系樹脂により形成されている。
【００４８】
このような形態を有するフレーム８は、感光フィルムＦの寸法が５〜６ｃｍ×８〜９ｃｍ、露光すべき領域の寸法が４〜５ｃｍ×６〜７ｃｍ程度に設定される場合には、図８および図９に示した長さ寸法Ｌ、幅寸法Ｗおよび厚さ寸法Ｈが、それぞれ４５〜５５ｍｍ、１０ｍｍ程度、３〜５ｍｍに設定される。フレーム８は、フィラー入りの樹脂や金属により一体的に形成されており、比較的に曲げ剛性の高いものとされている。また、フレーム８の外形寸法により、プリントヘッドＰＨの外形寸法が概ね規定されている。
【００４９】
発光素子アレイ９は、図８ないし図１１に示したように長矩形状の透明基板９０上に、複数の有機ＥＬ発光素子９１が主走査方向Ｃに並んだものとして構成されている。発光素子９１は、図１０および図１１に示したように副走査方向Ｄに並ぶ赤色光発光部９１Ｒ、緑色光発光部９１Ｇ、および青色光発光部９１Ｂを有している。これらの発光部９１Ｒ，９１Ｇ，９１Ｂは、複数の駆動ＩＣ９２などを介して個別に発光させられるように構成されている。複数の発光素子９１は、図１０および図１１に示したように透明基板８０上に、複数のアノード（透明電極）９４、有機層９５および複数のカソード９６Ｒ，９６Ｇ，９６Ｂを積層することにより形成されている。各発光部９１Ｒ，９１Ｇ，９１Ｂは、アノード９４とカソード９６Ｒ，９６Ｇ，９６Ｂが交差する領域に設定されている。
【００５０】
なお、有機層９５は、発光層９５Ｒ，９５Ｇ，９５Ｂに含ませる発光性物質が低分子量のものである場合には、図１１に示したように複数のホール注入層９５ａ、ホール輸送層９５ｂ、複数の発光層９５Ｒ，９５Ｇ，９５Ｂ、電子輸送層９５ｃ、および複数の電子注入層９５ｄからなる。発光層に含ませる発光性物質が高分子量のものである場合には、ホール輸送層と発光層のみにより有機層を構成してもよい。もちろん、使用する発光物質の種類によっては、電子輸送層と発光層からなる２層構造、あるいはホール輸送層、電子輸送層および発光層からなる３層構造として有機層を構成することもできる。
【００５１】
次に、画像プリント部２のプリント動作を説明する。なお、以下の説明においては、プリントヘッドＰＨは図６の矢印ＡＢ方向に往復移動するように構成されているものとする。
【００５２】
感光フィルムＦへの画像の形成は、感光層７０（図７参照）を露光した後に、それを現像することにより行われる。
【００５３】
感光層７０（図７参照）の露光は、プリントヘッドＰＨからの線状光を図６の矢印Ａ方向に走査させることにより行われる。線状光の照射は、同一の光照射ラインに対して、赤色光、緑色光および青色光の３色ついて個別行われる。その概要を図９および図１０を参照して説明すれば次の通りである。
【００５４】
プリントヘッドＰＨの発光素子アレイ９では、駆動ＩＣ９２に印字データ、クロックパルスあるいは電力などが供給される。駆動ＩＣ９２では、印字データに応じて、個々の発光素子９１（アノード９４）に電力が供給するか否かが選択される。一方、Ｒ用カソード９６Ｒ、Ｇ用カソード９６Ｇ、Ｂ用カソード９６Ｂには、図外の駆動ＩＣにより、これらのカソード９６Ｒ，９６Ｇ，９６Ｂのうちから電力供給すべきカソード９６Ｒ，９６Ｇ，９６Ｂが順次選択される。つまり、複数の赤色光発光部９１Ｒ、複数の緑色光発光部９１Ｇおよび青色光発光部９１Ｂについて、それらが順次発光可能な状態が選択され、駆動ＩＣ９２により選択された発光部９１Ｒ，９１Ｇ，９１Ｂのみに電力が供給される。電力が供給された発光部９１Ｒ，９１Ｇ，９１Ｂでは、アノード９４からホールが供給される一方、カソード９６Ｒ，９６Ｇ，９６Ｂから電子が供給されて、これらが発光層９５Ｒ，９５Ｇ，９５Ｂにおいて再結合して、供給電力量に応じた輝度をもって、発光層９５Ｒ，９５Ｇ，９５Ｂの発光物質に応じた色を発光する。
【００５５】
図９に示したように、発光層９５Ｒ，９５Ｇ，９５Ｂからの光は、透明基板９０を透過して反射部材８５に向けて出射される。反射部材８５に達した光は、反射部材８５において反射して９０度曲げられた後にロッドレンズアレイ８０に入射する。ロッドレンズアレイ８０に入射した光は各レンズ８０ａを透過した後にロッドレンズアレイ８０から出射してプリズム８１に入射する。プリズム８１に入射した光は９０度曲げられてプリズム８１を図９の下向きに進行した後にプリズム８１から出射する。この光は、感光フィルムＦ上において結像し、感光フィルムＦに線状光が照射される。感光フィルムＦへの線状光の照射は、Ｒ用カソード８６Ｒ、Ｇ用カソード８６Ｇ、およびＢ用カソード８６Ｂを順次切り替えることにより、赤色光、緑色光および青色光のそれぞれについて計３回行われる。これにより、感光フィルムＦに対する線状の露光が行われる。このような線状の露光は、プリントヘッドＰＨをピッチ送りすることにより感光フィルムＦの全体に対して行われる。
【００５６】
一方、感光フィルムＦの現像処理は、露光後の感光フィルムＦを搬送する過程において行われる。露光の終了した感光フィルムＦは、プッシュバーＰＢを図６の矢印Ｂ方向に移動させることにより、Ｂ方向に移動させられる。これにより、感光フィルムＦの先端部が、ケース６０の第２開口部６７から排出されていく。感光フィルムＦの先端部がプラテンローラＰＲにまで達したならば、２つのプラテンローラＰＲの回転により、これらのプラテンローラＰＲの間を感光フィルムＦが搬送される。感光フィルムＦの先端部には現像液保持部７３が設けられているから、プラテンローラＰＲの間を通過する際に現像液保持部７３に押圧力が作用する。これにより、現像液が押し出され、先端部側から現像液が感光層７０（図７参照）の両面に浸漬する。感光フィルムＦは、プラテンローラＰＲの間を通過するから、その過程において現像液が感光層７０（図７参照）の後端側に拡げられる。そして、感光フィルムＦがプラテンローラＰＲを完全に通過した場合には、現像液は、感光層７０（図７参照）の全体に行き渡り、感光層７０（図７参照）の現像処理が終了する。現像処理が終了した感光フィルムＦは、プラテンローラＰＲに搬送されることにより、図１に示したように画像プリント部２の外部に排出される。また、現像処理を施してから一定時間経過すれば、画像データひいては露光状態に応じた画像が感光フィルム上に形成される。
【００５７】
たとえば、白色光源を用いた場合には、カラーフィルタにより赤色光、緑色光および青色光を分離した後にそれらを感光フィルムに照射する必要がある。そのため、光源から発せられた光の利用効率は悪い。これに対して、赤色、緑色または青色を自己発光する３つの発光部９１Ｒ，９１Ｇ，９１Ｂにより発光素子９１を構成すれば、各発光部９１Ｒ，９１Ｇ，９１Ｂからの光をそのまま感光フィルムＦに照射できる。そのため、発光部９１Ｒ，９１Ｇ，９１Ｂからの光の利用効率が良くなり、消費電力の低減を図ることができるようになる。また、白色光源として冷陰極管を用いる場合には、冷陰極管を常時点灯させた上で、液晶シャッタなどを用いて光を照射すべき否かが選択される。これに対して、自己発光する発光部９１Ｒ，９１Ｇ，９１Ｂでは、光を照射すべきか否かは、各発光部９１Ｒ，９１Ｇ，９１Ｂを点灯させるか否かにより選択される。つまり、必要な発光部のみを点灯させればよいため、その点においても消費電力の低減を図ることができるようになる。
【００５８】
赤色光、緑色光、または青色光を自己発光するものとしては、有機ＥＬ素子９１（発光部９１Ｒ，９１Ｇ，９１Ｂ）の他にＬＥＤが挙げられる。これらのものは、消費電力が小さいため、複数のものを全て同時に点灯させたとしても、冷陰極管に比べて消費電力が小さいが、とくに有機ＥＬ発光素子９１（発光部９１Ｒ，９１Ｇ，９１Ｂ）は、ＬＥＤに比べても消費電力が数百分の１と小さい。したがって、有機ＥＬ発光素子９１（発光部９１Ｒ，９１Ｇ，９１Ｂ）を用いれば、さらなる低消費電力化を図ることができるようになる。
【００５９】
さらに、有機ＥＬ発光素子９１は、透明基板９０に対して複数の薄膜を形成することにより、複数のものを同時に造り込むことができる。そのため、冷陰極管や液晶シャッタにより光を照射する構成と比べれば、プリントヘッドＰＨの小型・軽量化を図ることができるようになる。その結果、画像プリント部２の小型・軽量化をも図ることができるようになる。また、フィルムパックＦＰのケース６０内にプリントヘッドＰＨを収容した構成とすれば、プリントヘッドＰＨの収容空間をフィルムパックＦＰの収容空間とは別に設ける必要がないため、この点からも画像プリント部２の小型化を図ることができるようになる。したがって、画像撮影部１に画像プリント部２を固定した状態であっても操作性および携帯性に優れ、画像プリント部２を固定した状態でも容易に画像撮影操作を行え、また画像プリント部２を固定した状態のままでも携帯しやすいプリント機能付きカメラＸを提供できるようになる。
【図面の簡単な説明】
【図１】  本願発明に係るプリント機能付きカメラの斜視図である。
【図２】  画像撮影部と画像プリント部との接続状態を説明するための要部断面図である。
【図３】  本願発明に係るプリント機能付きカメラの参考例を示す斜視図である。
【図４】  図１のプリント機能付きカメラの機能を説明するためのブロック図である。
【図５】  画像プリント部の分解斜視図である。
【図６】  画像プリント部の要部を示す断面図である。
【図７】  感光フィルムの断面図である。
【図８】  画像プリント部を構成するプリントヘッドの一例を示す分解斜視図である。
【図９】  図８に示したプリントヘッドの縦断面図である。
【図１０】  図８に示したプリントヘッドを構成する発光素子アレイの平面図である。
【図１１】  図１０のXI−XI線に沿う断面図である。
【符号の説明】
Ｘ  プリント機能付きカメラ
１  画像撮影部
１５  表示パネル
２  画像プリント部
ＰＨ  プリントヘッド
９  発光素子アレイ
９１  発光素子
９１Ｒ  赤色光発光部
９１Ｇ  緑色光発光部
９１Ｂ  青色光発光部
ＦＰ  フィルムパック
Ｆ  感光フィルム
６０  ケース（フィルムパックの）
【図１】
0004515665.tif 000002
【図２】
0004515665.tif 000003
【図３】
0004515665.tif 000004
【図４】
0004515665.tif 000005
【図５】
0004515665.tif 000006
【図６】
0004515665.tif 000007
【図７】
0004515665.tif 000008
【図８】
0004515665.tif 000009
【図９】
0004515665.tif 000010
【図１０】
0004515665.tif 000011
【図１１】
0004515665.tif 000012